(57)【要約】      （修正有）【課題】複数のリモコン装置のそれぞれで遠隔操作可能な画面を表示するAVＶ再生装置において、リモコン装置毎に操作画面を切り替える。【解決手段】AV再生装置200に、リモコン装置を一意に識別できるアドレス情報と切り替えるUIの対応を記憶するUI切替設定保持手段と、リモコン装置からの制御コマンドからアドレス情報を取り出し、以前のアドレス情報と比較することで、リモコン装置に合った操作画面に切り替える機能を具備させている。【選択図】図１
2011188047.tif 000002
【特許請求の範囲】
【請求項１】
複数のリモコン装置のそれぞれで遠隔操作可能な画面を表示するAV再生装置であって、
複数のリモコン装置のそれぞれから、リモコン装置を識別可能なアドレス情報及びリモコン装置で操作する操作画面に関するUIデータを受信する通信部と、
前記通信部で受信された、複数のリモコン装置のアドレス情報及びUIデータをもとに、アドレス情報とUIデータとの対応を管理するリストとUIデータを保存するUIデータ記憶部と、
前記通信部で受信されたアドレス情報であって、直近の操作を行ったリモコン装置のアドレス情報を保持するアドレス情報保持部と、
前記通信部で受信された、新たに操作を行うリモコン装置のアドレス情報が、アドレス情報保持部で保持されているアドレス情報と異なる場合に、UIデータ記憶部で保存されている、新たに操作を行うリモコン装置のアドレス情報に対応するUIデータに基づき画面を変更する操作画面表示部とを備えることを特徴とするAV再生装置。
【請求項２】
複数のリモコン装置のそれぞれで遠隔操作可能な画面を表示するAV再生装置であって、
複数のリモコン装置のそれぞれから、リモコン装置を識別可能なアドレス情報及びリモコン装置で操作する操作画面に関するUIデータを保持するインターネット上のサーバのアクセス先に関するデータを受信する第１の通信部と、
前記第1の通信部で受信されたアクセス先に関するデータに基づき、インターネット上のサーバにアクセスし、UIデータを受信する第２の通信部と、
前記第１の通信部で受信された、複数のリモコン装置のアドレス情報と、前記第２の通信部で受信された、複数のリモコン装置のUIデータをもとに、アドレス情報とUIデータとの対応を管理するリストとUIデータを保存するUIデータ記憶部と、
前記第1の通信部で受信されたアドレス情報であって、直近の操作を行ったリモコン装置のアドレス情報を保持するアドレス情報保持部と、
前記第１の通信部で受信された、新たに操作を行うリモコン装置のアドレス情報が、アドレス情報保持部で保持されているアドレス情報と異なる場合に、UIデータ記憶部で保存されている、新たに操作を行うリモコン装置のアドレス情報に対応するUIデータに基づき画面を変更する操作画面表示部とを備えることを特徴とするAV再生装置。
【請求項３】
前記操作画面表示部は、画面を変更する前に、ユーザに対して画面変更に関する確認画面を表示させることを特徴とする請求項1または２に記載のAV再生装置。
【請求項４】
前記リモコン装置で操作する操作画面に関するUIデータは、操作画面を表示するためのプログラムであることを特徴とする請求項1または２に記載のAV再生装置。
【請求項５】
AV再生装置で表示される画面を遠隔操作するためのリモコン装置であって、
リモコン装置自身を識別可能なアドレス情報及びリモコン装置で操作する操作画面に関するUIデータを送信する通信部を備えることを特徴とするリモコン装置。
【請求項６】
AV再生装置で表示される画面を遠隔操作するためのリモコン装置であって、
リモコン装置自身を識別可能なアドレス情報及びリモコン装置で操作する操作画面に関するUIデータを保持するインターネット上のサーバのアクセス先に関するデータを送信する通信部を備えることを特徴とするリモコン装置。
【請求項７】
前記リモコン装置で操作する操作画面に関するUIデータは、操作画面を表示するためのプログラムであることを特徴とする請求項５または６に記載のリモコン装置。
【請求項８】
複数のリモコン装置と、該複数のリモコン装置のそれぞれで遠隔操作可能な画面を表示するAV再生装置からなるUI切替システムであって、
各リモコン装置は、
リモコン装置自身を識別可能なアドレス情報及びリモコン装置で操作する操作画面に関するUIデータを送信する通信部を備え、
AV再生装置は、
複数のリモコン装置のそれぞれの通信部から送信されたアドレス情報及びUIデータを受信する通信部と、
前記通信部で受信された、複数のリモコン装置のアドレス情報及びUIデータをもとに、アドレス情報とUIデータとの対応を管理するリストとUIデータを保存するUIデータ記憶部と、
前記通信部で受信されたアドレス情報であって、直近の操作を行ったリモコン装置のアドレス情報を保持するアドレス情報保持部と、
前記通信部で受信された、新たに操作を行うリモコン装置のアドレス情報が、アドレス情報保持部で保持されているアドレス情報と異なる場合に、UIデータ記憶部で保存されている、新たに操作を行うリモコン装置のアドレス情報に対応するUIデータに基づき画面を変更する操作画面表示部とを備えることを特徴とするUI切替システム。
【請求項９】
複数のリモコン装置と、該複数のリモコン装置のそれぞれで遠隔操作可能な画面を表示するAV再生装置からなるUI切替システムであって、
各リモコン装置は、
リモコン装置自身を識別可能なアドレス情報及びリモコン装置で操作する操作画面に関するUIデータを保持するインターネット上のサーバのアクセス先に関するデータを送信する通信部を備え、
AV再生装置は、
複数のリモコン装置のそれぞれの通信部から送信されたアドレス情報及びアクセス先に関するデータを受信する第１の通信部と、
前記第1の通信部で受信されたアクセス先に関するデータに基づき、インターネット上のサーバにアクセスし、UIデータを受信する第２の通信部と、
前記第１の通信部で受信された、複数のリモコン装置のアドレス情報と、前記第２の通信部で受信された、複数のリモコン装置のUIデータをもとに、アドレス情報とUIデータとの対応を管理するリストとUIデータを保存するUIデータ記憶部と、
前記第1の通信部で受信されたアドレス情報であって、直近の操作を行ったリモコン装置のアドレス情報を保持するアドレス情報保持部と、
前記第１の通信部で受信された、新たに操作を行うリモコン装置のアドレス情報が、アドレス情報保持部で保持されているアドレス情報と異なる場合に、UIデータ記憶部で保存されている、新たに操作を行うリモコン装置のアドレス情報に対応するUIデータに基づき画面を変更する操作画面表示部とを備えることを特徴とするUI切替システム。
【請求項１０】
前記操作画面表示部は、画面を変更する前に、ユーザに対して画面変更に関する確認画面を表示させることを特徴とする請求項８または９に記載のUI切替システム。
【請求項１１】
前記リモコン装置で操作する操作画面に関するUIデータは、操作画面を表示するためのプログラムであることを特徴とする請求項８または９に記載のUI切替システム。
【発明の詳細な説明】
【技術分野】
【０００１】
本発明は、リモコン装置と、リモコン装置によって遠隔操作可能なAV再生装置に関する。
【背景技術】
【０００２】
従来のデジタル家電機器は、全ての機能を操作できるように操作画面が複雑化し、またリモコン装置のボタンが多くなり、操作に不慣れなユーザにとっては難しいユーザ・インターフェイス（ＵＩ）となっていた。このような問題に対しては、操作に不慣れなユーザ向けに基本的な機能だけが操作できるように操作項目を減らした操作画面を用意したり、通常のリモコン装置とは別に、リモコン装置のボタンを減らした簡易リモコン装置を用意することで解決しようとしていた。しかし、操作画面の変更とリモコン装置には関連性がなく、ユーザが手動で切り替えて利用していた。
【０００３】
この問題を解決する技術として、リモコン装置に応じて、メニューなどの操作画面のカスタマイズを容易な操作で実現する特許文献１が提案されている。
【先行技術文献】
【特許文献】
【０００４】
【特許文献１】特願２００２−３６２９８６号公報
【発明の概要】
【発明が解決しようとする課題】
【０００５】
しかし、従来技術では、リモコン装置のハードウェア形状が変更されたことを検出し、それに合わせたメニュー画面のレイアウトに変更するため、同じ形状のリモコン装置で操作していた場合、画面のレイアウトを変更することができないという課題があった。
【０００６】
また、リモコン装置毎にカスタマイズされたメニュー画面を入手するには、放送波もしくはネットワーク上のサーバからダウンロードするしかないが、（１）放送波からダウンロードする場合は、決められた時間帯にしかデータを受信することができず、（２）ネットワーク上のサーバからダウンロードする場合も、その取得先は、固定もしくは放送波であるため、取得先が固定の場合は自由にカスタマイズされたメニューを取得することは困難であり、取得先が放送波の場合は（１）と同様に、決められた時間帯にしかデータを受信することができない。すなわち、カスタマイズされたメニュー画面を常に入手することは難しかった。
【課題を解決するための手段】
【０００７】
上記課題を解決するために、本発明の、複数のリモコン装置のそれぞれで遠隔操作可能な画面を表示するAV再生装置は、複数のリモコン装置のそれぞれから、リモコン装置を識別可能なアドレス情報及びリモコン装置で操作する操作画面に関するUIデータを受信する通信部と、前記通信部で受信された、複数のリモコン装置のアドレス情報及びUIデータをもとに、アドレス情報とUIデータとの対応を管理するリストとUIデータを保存するUIデータ記憶部と、前記通信部で受信されたアドレス情報であって、直近の操作を行ったリモコン装置のアドレス情報を保持するアドレス情報保持部と、前記通信部で受信された、新たに操作を行うリモコン装置のアドレス情報が、アドレス情報保持部で保持されているアドレス情報と異なる場合に、UIデータ記憶部で保存されている、新たに操作を行うリモコン装置のアドレス情報に対応するUIデータに基づき画面を変更する操作画面表示部とを備える。
【０００８】
また、本発明の、上記AV再生装置で表示される画面を遠隔操作するためのリモコン装置は、リモコン装置自身を識別可能なアドレス情報及びリモコン装置で操作する操作画面に関するUIデータを送信する通信部を備える。
【０００９】
また、別の本発明の、複数のリモコン装置のそれぞれで遠隔操作可能な画面を表示するAV再生装置は、複数のリモコン装置のそれぞれから、リモコン装置を識別可能なアドレス情報及びリモコン装置で操作する操作画面に関するUIデータを保持するインターネット上のサーバのアクセス先に関するデータを受信する第１の通信部と、前記第1の通信部で受信されたアクセス先に関するデータに基づき、インターネット上のサーバにアクセスし、UIデータを受信する第２の通信部と、前記第１の通信部で受信された、複数のリモコン装置のアドレス情報と、前記第２の通信部で受信された、複数のリモコン装置のUIデータをもとに、アドレス情報とUIデータとの対応を管理するリストとUIデータを保存するUIデータ記憶部と、前記第1の通信部で受信されたアドレス情報であって、直近の操作を行ったリモコン装置のアドレス情報を保持するアドレス情報保持部と、前記第１の通信部で受信された、新たに操作を行うリモコン装置のアドレス情報が、アドレス情報保持部で保持されているアドレス情報と異なる場合に、UIデータ記憶部で保存されている、新たに操作を行うリモコン装置のアドレス情報に対応するUIデータに基づき画面を変更する操作画面表示部とを備える。
【００１０】
また、別の本発明の、上記AV再生装置で表示される画面を遠隔操作するためのリモコン装置は、リモコン装置自身を識別可能なアドレス情報及びリモコン装置で操作する操作画面に関するUIデータを保持するインターネット上のサーバのアクセス先に関するデータを送信する通信部を備える。
【発明の効果】
【００１１】
本発明によれば、同じ形状の別のリモコン装置で操作しても、画面のレイアウトを変更することができる。
【００１２】
また、本発明によれば、カスタマイズされたメニュー画面を常に入手することができる。
【図面の簡単な説明】
【００１３】
【図１】本発明の実施例の概要を示す説明図である。
【図２】本発明の実施例１における、リモコン装置の構成を示すブロック図である。
【図３】本発明の実施例１における、AV再生装置の構成を示すブロック図である。
【図４】本発明の実施例１における、AV再生装置にリモコン装置に保存されているUIデータを取得し、切替設定を登録するUI登録処理の処理の流れを示すシーケンス図である。
【図５】本発明の実施例１における、リモコン装置からAV再生装置へ送信されるUIデータを説明するための概念図である。
【図６】本発明の実施例１における、AV再生装置に保存されているUI登録リストを説明するための概念図である。
【図７】本発明の実施例１における、リモコン装置の操作により、AV再生装置の操作画面が切り替わるUI切替処理の処理の流れを示すシーケンス図である。
【図８】本発明の実施例１における、リモコン装置からAV再生装置に送信されるキーコード通知コマンドを説明するための概念図である。
【図９】本発明の実施例１における、前回操作したリモコン装置とはことなるリモコン装置で操作した際に表示されるUIの一例を示した図である。
【図１０】本発明の実施例２における、リモコン装置からAV再生装置へ送信されるUIデータを説明するための概念図である。
【図１１】本発明の実施例２における、AV再生装置の構成を示すブロック図である。
【図１２】本発明の実施例２における、AV再生装置にリモコン装置に保存されている入手先に基づきインターネット上のサーバからUIデータを取得し、切替設定を登録するUI登録処理の処理の流れを示すシーケンス図である。
【発明を実施するための形態】
【００１４】
以下、本発明を実施するための形態について、図面を参照して説明する。
【００１５】
なお、本発明はこれら実施の形態に何ら限定されるものではなく、その要旨を逸脱しない範囲において、種々なる態様で実施しうる。
【実施例１】
【００１６】
切替表示するUIデータを、AV再生装置２００がリモコン装置１００から直接取得する実施例について、図１ないし図９を用いて説明する。
【００１７】
まず、図１を用いて、本実施例におけるUI切り替え動作の概要について説明する。AV再生装置２００がデジタルテレビという例として説明する。例えば、リモコン装置１００ａ（アドレスが0x09876543）を使って操作した場合、AV再生装置２００で表示される電子番組表を表示しているときの表示画面は、AV再生装置２００が保持しているUI登録情報リスト６００に従い、＜UI-A＞という画面となる。しかし、別のリモコン装置１００ｂ（アドレスが0x01234567）を使って同じAV再生装置２００を操作すると、AV再生装置２００は、リモコン装置から送信されたコマンドを受信、解析し、送信元のアドレスが、前回受信したコマンドの送信元のアドレスと同じかどうかを判断する。前回受信したコマンドの送信元のアドレスは、「0x09876543」であるのに対し、リモコン装置１００ｂから送信されたコマンドは、「0x01234567」と異なっているため、操作しているリモコン装置が変更されたことをAV再生装置２００が検出する。そして、AV再生装置２００は、UI登録情報リスト６００の設定情報に従い、電子番組表の表示を、リモコン装置１００ａで操作していた画面とは異なる＜UI-B＞の画面に切り替える。これにより、操作するリモコンを変えるだけで、簡単に表示画面を切り替えることができ、設定画面から表示画面を変更する操作を行う必要がなくなる。
【００１８】
次に、図２を用いて、本実施例におけるリモコン装置１００の構成について説明する。
【００１９】
リモコン装置１００は、ユーザ入力部１０１と、無線通信部１０２と、UIデータ記憶部１０３から構成されている。
【００２０】
ユーザ入力部１０１は、リモコン装置１００に備わっている入力装置、例えば、十字キーや数字キーなどのボタンや、タッチパネルなどを使ってユーザから入力される操作をイベントとして検出する。無線通信部１０２は、ユーザ入力部１０１で検出したユーザからの入力を操作信号に変換して、AV再生装置２００へ無線で送信したり、AV再生装置２００からのUIデータ取得コマンドを受信して、UIデータ記憶部１０３からUIデータ読み出し、AV再生装置２００へ無線で送信する処理を行う。無線通信を行う手段としては、ZigBeeやBluetoothなどの標準規格に準拠したものであったり、独自の仕様による無線通信でも構わない。UIデータ記憶部１０３は、UIデータを記憶している。UIデータ記憶部１０３に記憶されるUIデータは、表示項目のリストデータや必要な文字列データや画像データなどのリソースデータであったり、UI表示するためのプログラムなど、AV再生装置２００に表示可能なUIデータにかかわるデータである。
【００２１】
次に、図３を用いて、本実施例におけるAV再生装置装置２００の構成について説明する。
【００２２】
AV再生装置２００は、無線通信部２０１と、アドレス情報保持部２０２と、UI切替設定データ記憶部２０３と、UI切替設定データ更新部２０４と、リモコン登録部２０５と、操作画面表示部２０６と、出力装置２０７から構成されている。
【００２３】
無線通信部２０１は、リモコン装置１００から無線で送信されてきた操作信号を受信したり、リモコン装置１００に格納されたUIデータを取得するため、リモコン装置１００へUIデータ取得コマンドを送信し、UIデータを受信する処理を行う。無線通信を行う手段としては、ZigBeeやBluetoothなどの標準規格に準拠したものであったり、独自の仕様による無線通信でも構わない。
【００２４】
アドレス情報保持部２０２は、前回操作したリモコン装置を一意に識別するリモコン装置のアドレス情報を保持する。例えば、無線としてZigbeeを使用しているのであれば、リモコン装置のMACアドレスであったり、仮想的に割り振られるネットワークアドレスを保持する。
【００２５】
UI切替設定データ記憶部２０３は、操作するリモコン装置のアドレス情報と、それに対応して表示するUIデータ（操作画面のプログラムなどのデータ）との対応を管理するUI登録情報リストと、UIデータ自体を保存する。
【００２６】
UI切替設定データ更新部２０４は、UI切替設定データ記憶部２０３で保存されているUI登録情報リストと、UIデータを更新、追加する処理部である。UI切替設定データ更新部２０４は、リモコン登録部２０５から呼び出されて処理を開始し、無線通信部２０１を用いて、ＵＩデータ取得コマンドをリモコン装置１００に対して送信し、リモコン装置内に格納されているUIデータから構成されるデータを受信する。そして、UIデータに含まれる、表示プログラムなどのバイナリデータをファイルとして保存し、表示させる画面種別と、保存したファイルのファイルパス、データ取得先のリモコン装置のアドレス情報をもとにUI登録情報リストを更新する。
【００２７】
リモコン登録部２０５は、AV再生装置２００を操作できるように、リモコン装置１００をAV再生装置２００に登録する処理（ペアリング処理）を行う処理部である。
【００２８】
操作画面表示部２０６は、無線通信部２０１で受信した操作信号を解析し、操作元のリモコン装置毎に適切な操作画面に切り替える処理部である。無線通信部２０１で受信した操作信号から操作元のリモコン装置のアドレス情報を取り出し、アドレス情報保持部２０２で保持されているアドレス情報と比較する。そして、もし不一致しているのであれば、UI切替設定データ記憶部２０３に格納されているUI登録情報リストを参照して、適切な操作画面のプログラムもしくはUIデータに切り替えて、新しい操作画面を出力装置２０７に表示させる。
【００２９】
出力装置２０７は、表示装置のことであり、AV再生装置２００の各種設定画面の表示や、電子番組表などの様々な操作画面の表示に使用される。例えば、ＬＣＤ（Ｌｉｑｕｉｄ  Ｃｒｙｓｔａｌ  Ｄｉｓｐｌａｙ）やＰＤＰ（Ｐｌａｓｍａ Ｄｉｓｐｌａｙ Ｐａｎｅｌ）である。
【００３０】
次に、図４ないし図６を用いて、リモコン装置毎に表示する操作画面を登録するUI登録処理について説明する。
【００３１】
このUI登録処理は、リモコン装置１００でAV再生装置２００を無線で操作できるように、AV再生装置２００にリモコン装置１００を登録する処理（ペアリング処理）と同時に行う。AV再生装置２００のリモコン登録部２０５が、ユーザからの操作によって起動され、AV再生装置２００にコマンドを受け付けるリモコン装置を登録した後、UI切替設定設定データ更新部２０４が起動され、その中からUI登録処理３００が起動される。
【００３２】
図４のように、UI登録処理３００では、まず、AV再生装置２００は、無線通信部２０１を使ってリモコン装置１００に対して、UIデータ取得コマンドを送信する（ステップＳ３０１）。UIデータ取得コマンドを受信したリモコン装置１００は、UIデータ記憶部からUIデータを取得し、無線通信部１０２を使ってUIデータ取得コマンドの送信元であるAV再生装置２００に対してUIデータを送信する（ステップＳ３０２）。ここでAV再生装置２００に対して送信されるUIデータを図５に示す。図５において、UIデータ４００は、切り替える画面の種別を表すUI種別部４０１と、UIデータのファイル名を表すファイル名部４０２と、切替表示するプログラムや文字列データや画像データを一纏めにしたバイナリデータを表すUIデータ部４０３から構成されたレコードが設定する画面種別毎に保存されているような形式となっている。
【００３３】
そして、AV再生装置２００の無線通信部２０１において、リモコン装置から送信されたUIデータを受信し（ステップＳ３０３）、UI切替設定データ更新部２０４で、UIデータを正しく受信できたかを判別する（ステップＳ３０４）。もし受信できていれば、UIデータ部４０３のバイナリデータをファイル部４０２のファイル名でAV再生装置２００のUI切替設定データ記憶部２０３に保存し（ステップＳ３０５）、UI種別部４０１と、ステップＳ３０５で保存したファイルのファイルパスと、送信元のリモコン装置のアドレス情報の組み合わせをUI登録情報リストに追加する（ステップS３０６）。
【００３４】
UI登録情報リストを図６に示す。図６において、UI登録情報リスト５００は、表示を切り替えるUIの種別を格納するUI種別部５０１と、切り替える条件となる操作元のリモコン装置のネットワークアドレスを保存するアドレス部５０２と、切替表示する表示データが格納されているファイルパスを保存するUIデータ部503から構成されている。本実施例では、表示プログラムと文字列データや画像データを１つのファイルにまとめて保存される形式をとっているため、保存先であるファイルパスをUIデータ部５０３に保存しているが、これらの表示データの管理方法によっては、表示プログラムのクラス名であったり、単なる識別子をUIデータ部５０３に保存しても構わない。
【００３５】
次に、図７ないし図９を用いて、操作するリモコン装置によって、UIを切り替えるUI切替処理６００について説明する。
【００３６】
まず、ユーザがリモコン装置１００の操作ボタンを押すと、リモコン装置１００のユーザ入力部１０１がこれを検出し、リモコン装置１００は、押下された操作ボタンに対応するコードを含む、キーコード通知コマンドを、無線通信部１０２を介してAV再生装置２００へ送信する（ステップＳ６０１）。
【００３７】
図８にキーコード通知コマンドを示す。図８において、キーコード通知コマンド７００は、送信元であるリモコン装置１００を一意に識別するアドレス情報を格納するアドレス部７０１と、リモコン装置１００を製造しているメーカーを識別するメーカーコードを格納したメーカーコード部７０２と、どのようなデータをやり取りするかを識別できる識別子を格納するプロファイル部７０３と、リモコン装置１００のユーザ入力部１０１で押下が検出されたボタンを識別するためのキーコードを格納するキーコード部７０４から構成されている。
【００３８】
リモコン装置１００から送信されたキーコード通知コマンド７００をAV再生装置２００の無線通信部２０１で受信し、キーコード通知コマンド７００のアドレス部７０１から送信元であるリモコン装置１００を一意に識別するアドレス情報を、キーコード通知コマンド７００のキーコード部７０４から押下されたボタンに対応するキーコードを取得する（ステップＳ６０２）。
【００３９】
次に、操作画面表示部２０６では、キーコード通知より取得したアドレス情報と、アドレス情報保持部２０２で保存されているアドレス情報と異なるかどうか、すなわち、前回操作したリモコンと異なるかどうかを判別する（ステップＳ６０３）。
【００４０】
もし、アドレス情報が同じで、前回操作したリモコンと同じと判断されると、対応するキー操作処理を実行し、次のキーコード通知を受信する処理ステップＳ６０２へ戻り、操作画面表示部２０６の処理を終える（ステップＳ６０４）。
【００４１】
また、アドレス情報が異なり、前回操作したリモコンと異なると判断されると、操作画面表示部２０６では、例えば、図９のようなユーザに画面切替を確認するための画面表示を行う切替確認画面表示処理を実行する（ステップＳ６０５）。
【００４２】
切替確認画面で、ユーザが切替を許可したかを判定し（ステップＳ６０６）、ユーザが切替を許可した場合は、事前に登録されたUI登録情報リスト５００から、アドレス情報と一致するレコードを検索し、現在表示している画面に対応するUIデータのファイルパスを取得する。そして、取得したファイルパスから新しい操作画面のプログラムなどをロードし、画面に反映させ、今回受け付けたリモコン装置のアドレス情報をアドレス情報保持部２０２に反映させる（ステップＳ６０７）。なお、ユーザが切替を許可しない場合は、次のキーコード通知を受信する処理ステップＳ６０２へ戻る。
【００４３】
なお、本実施例では、ユーザが誤って異なるリモコン装置で操作をし、突然画面が切り替わることを防ぐために、異なるリモコン装置からの操作のたびにユーザ確認画面を表示していた。もし、ユーザ確認画面をなくし、画面切替を優先させる場合には、ステップＳ６０５とステップＳ６０６が不要となり、ステップ６０３から直接ステップ６０７へ遷移させればよい。
【００４４】
また、本実施例では、リモコン登録部２０５から、UI切替設定データ更新部２０４を起動しているが、UI切替設定をAV再生装置２００の設定メニューに追加し、UI切替設定メニューからUI切替設定データ更新部２０４が起動されるようにしてもよい。
【００４５】
このように、本実施例のリモコン装置１００とAV再生装置２００によれば、リモコン装置を一意に識別するアドレス情報により、操作元のリモコン装置をAV再生装置２００は識別できるようになり、リモコン装置を持ち替えて操作することで、リモコン装置に格納されているUIデータで表示できる操作画面に切り替えることが可能となる。これにより、ユーザは容易に操作画面を切り替えることが可能となる。また、リモコン装置をアドレス情報で識別することにより、同じ形状のリモコン装置であっても、操作画面の異なるUIを提供することが可能であり、例えば、老若男女別に操作する人が扱いやすいリモコンおよび視認しやすい操作画面をセットにして提供することができる。
【００４６】
さらに、リモコン装置に切替えるUIデータを保持することにより、インターネットに接続されていない環境下においても、容易にAV再生装置に操作画面を追加させることができる。
【実施例２】
【００４７】
切替表示するUIデータの保存先を、AV再生装置２００がリモコン装置１００から取得し、実際に表示するUIデータは、ネットワーク上のサーバより取得する実施例について、図１０ないし図１２を用いて説明する。
【００４８】
リモコン装置１００の構成は、実施例１と全く同じ構成でよい。
【００４９】
次に、本実施例におけるAV再生装置２００の構成を、図１１を用いて説明する。実施例１におけるAV再生装置２００に、ネットワーク通信部２０８を追加し、UIデータを格納するサーバ装置２５０と通信できるようにしている。
【００５０】
そして、実施例１と同様、UI切替設定データ更新部２０４は、リモコン登録部２０５により起動されると、まず、無線通信部２０１を用いて、リモコン装置１００に対してUIデータ取得コマンドを送信し、リモコン装置１００から送信されるUIデータを受信する。
【００５１】
図１０に受信されるUIデータを示す。図１０において、UIデータ４００ａは、切り替える画面の種別を表すUI種別部４０１ａと、切替画面のプログラムや各種データなどの保存先を表すUIデータ部４０３ａから構成されている。
【００５２】
そして、UIデータを受信した後、UIデータに含まれる、UIデータ部４０３ａを用いて、ネットワーク通信部２０８を介してサーバ２５０にアクセスし、サーバ２５０から表示プログラムなどのバイナリデータを取得し、ファイルとしてUI切替設定データ記憶部２０３に保存する。また、表示させる画面種別と、保存したファイルのファイルパス、データ取得先のリモコン装置のアドレス情報をもとにUI登録情報リストを更新する。
【００５３】
上記以外の処理は実施例１と変わらない。
【００５４】
次にネットワーク上のサーバ装置２５０からUIデータを取得して登録するUI登録処理３００ａについて、図１２を用いて説明する。
【００５５】
まず、AV再生装置２００は、リモコン装置１００に対して、無線通信部２０１を介して、UIデータ取得コマンドを送信する（ステップＳ３０１ａ）。UIデータ取得コマンドを受信したリモコン装置１００は、無線通信部１０１にて、UIデータの取得先であるサーバ装置２５０へアクセスするための情報（例えば、UIデータの取得先を表すURIという文字情報）を含むUIデータ４００ａを、UIデータ取得コマンドの送信元であるAV再生装置２００に対して送信する（ステップＳ３０２ａ）。
【００５６】
AV再生装置２００の無線通信部２０１で、UIデータ４００ａを受信すると（ステップＳ３０３ａ）、受信したUIデータ内のUIデータ部４０３ａに格納されている取得先情報を元に、ネットワーク通信部２０８にて、サーバ装置２５０に対して、UIデータ取得要求を送信する（ステップＳ３０４ａ）。そして、サーバ装置２５０より送信されたUIデータを受信し（ステップＳ３０５ａ）、ＵＩ切替設定データ更新部２０４へ、受信したUIデータを引き渡し、UI切替設定データ記憶部２０３にファイルとして保存する（ステップＳ３０６ａ）。
【００５７】
そして、UI種別部４０１a、ステップＳ３０６ａで保存したファイルのファイルパス、送信元のリモコン装置のアドレス情報をもとにUI登録情報リスト５００に追加する（ステップS３０７ａ）。
【００５８】
このように、本実施例のリモコン装置１００とAV再生装置２００によれば、実施例１のようにユーザにより扱いやすいリモコン装置と視認しやすいUIを提供できるのに加え、リモコン装置で保持するUIデータは少なくて済み、また、リモコン装置１００とAV再生装置２００との間での通信量が少なくて済むため、リモコン装置１００とAV再生装置２００との間の通信に低速な通信手段を用いた場合でも、ユーザはストレスなく、UIの切替設定が可能となる。
【符号の説明】
【００５９】
１００・・・リモコン装置
２００・・・AV再生装置
３００・・・UI登録処理
４００・・・UIデータ
５００・・・UI登録情報リスト
６００・・・UI切替処理
７００・・・キーコード通知コマンド
【図１】
2011188047.tif 000003
【図２】
2011188047.tif 000004
【図３】
2011188047.tif 000005
【図４】
2011188047.tif 000006
【図５】
2011188047.tif 000007
【図６】
2011188047.tif 000008
【図７】
2011188047.tif 000009
【図８】
2011188047.tif 000010
【図９】
2011188047.tif 000011
【図１０】
2011188047.tif 000012
【図１１】
2011188047.tif 000013
【図１２】
2011188047.tif 000014